(57)【要約】【課題】入力された混合信号を内部で分波する地上放送／衛星放送受信複合チューナにおいて、地上放送波及び衛星放送による相互干渉を回避する。【解決手段】分配器３は、入力端子２から入力された地上波・ＢＳ／ＣＳ波混合信号（混合信号）を２系統の混合信号に分配する。ハイパスフィルタ４は、分配された一方の混合信号からＢＳ／ＣＳ放送信号を分波して、ＢＳ／ＣＳチューナ部６へ出力する。ローパスフィルタ５は、分配された他方の混合信号から地上放送信号を分波して、地上放送チューナ部７に出力する。入力端子２の直後にて分配・分波する事により、ＢＳ／ＣＳチューナ部６及び地上放送チューナ部７には、それぞれ分波された受信信号が入力される。従って、互いの放送波による干渉を回避することが出来る。【選択図】図１
2009118056.tif 000002
【特許請求の範囲】
【請求項１】
異なる２種類以上の放送を受信するチューナであって、
各放送信号の混合信号を入力する単一の入力端子と、
当該入力端子から入力された前記混合信号を各放送に対応したチューナ部へ向けて個別に分配する分配器と、
前記チューナに対応して個別に設けられ、前記チューナ部へ向けて個別に分配された前記混合信号から前記各チューナ部に入力する放送信号を分離して取り出す広帯域分波器とを備えていることを特徴とするチューナ。
【請求項２】
異なる２種類以上の放送を受信するチューナであって、
各放送信号の混合信号を入力する単一の入力端子と、
各放送信号の混合信号を出力する単一の出力端子と、
当該入力端子から入力された前記混合信号を各放送に対応したチューナ部と前記出力端子とへ向けて個別に分配する分配器と、
前記チューナに対応して個別に設けられ、前記チューナ部へ向けて共通に分配された前記混合信号から各チューナ部に入力する放送信号を分離して取り出す広帯域分波器とを備えていることを特徴とするチューナ。
【請求項３】
前記混合信号を前記分配器から前記出力端子へと導く経路に設けられた広帯域増幅器をさらに備えていることを特徴とする請求項２に記載のチューナ。
【請求項４】
異なる２種類以上の放送を受信するチューナであって、
各放送信号の混合信号を入力する単一の入力端子と、
各放送に対応したチューナ部に対応して個別に設けられ、前記入力端子から入力された前記混合信号から各チューナ部に入力する放送信号を分離して取り出す広帯域分波器とを備えていることを特徴とするチューナ。
【請求項５】
前記広帯域分波器から出力される前記放送信号を出力する出力端子と、
少なくとも１つの前記広帯域分波器から出力される前記放送信号を前記チューナ部と前記出力端子とに向けて分配する分配器とをさらに備えていることを特徴とする請求項４に記載のチューナ。
【請求項６】
前記放送信号を前記分配器から前記出力端子へと導く経路に設けられた広帯域増幅器をさらに備えていることを特徴とする請求項５に記載のチューナ。
【請求項７】
前記放送として地上放送及び衛星放送を受信することを特徴とする請求項１乃至６のいずれか１項に記載のチューナ。
【請求項８】
１乃至７のいずれか１項に記載のチューナを備えていることを特徴とする放送受信機。
【発明の詳細な説明】
【技術分野】
【０００１】
本発明は、地上デジタル放送や衛星デジタル放送のように異なる周波数帯域の放送を受信するチューナに係り、特にＲＦ信号を複数の回路に分波出力する広帯域分波器を有するチューナに関するものである。
【背景技術】
【０００２】
最近は、地上波・ＢＳ／ＣＳ信号の家屋内への引き込みを１軸化する事が多くなりつつあり、特に集合住宅においてその流れは顕著である。
【０００３】
一方、引き込まれた信号を受信・視聴する為の受信機に内蔵されているチューナは近年、地上波放送を受信するチューナとＢＳ／ＣＳ放送を受信するチューナを一体化したものが普及している。
【０００４】
従来の受信システムを図１１及び図１２に示す。
【０００５】
図１１に示すシステムでは、地上放送波が、地上放送信号受信アンテナ１０１で受信され、ＢＳ／ＣＳ放送波がＢＳ／ＣＳ信号受信系統のパラボラアンテナ１０２と、ＬＮＢ１０３とで受信される。それぞれの受信信号は、個別に設けられた同軸ケーブルを介して、チューナ１０４の地上放送チューナ部１０５と、ＢＳ／ＣＳ放送チューナ部１０６とのそれぞれの入力端子へ入力される。
【０００６】
図１２に示す受信システムでは、地上波・ＢＳ／ＣＳ信号の家屋内への引き込みが１軸化され、チューナとして上記のチューナ１０４を使用している。この受信システムでは、地上放送信号受信アンテナ１０１からの受信波と、パラボラアンテナ１０２及びＬＮＢ１０３からの受信波とが混合器１０７で混合されて１つの同軸ケーブルを介して伝達され、家屋内に設けられた分波器１０８で分波されて、チューナ１０４の地上放送チューナ部１０５と、ＢＳ／ＣＳ放送チューナ部１０６とのそれぞれの入力端子へ入力される。
【０００７】
図１２に示す受信システムでは、引き込みが１軸化されているものの、チューナの入力端子が地上放送チューナ部１０５とＢＳ／ＣＳ放送チューナ部１０６とで分かれているので、チューナ１０４に受信信号を入力する前に地上放送チューナ用とＢＳ／ＣＳ放送チューナ用に分波器１０８で分波する必要がある。この為、分波器１０８を同軸ケーブルとチューナ１０４との間に挿入しなければならず、配線が繁雑化する。
【０００８】
この課題を解決するために、特許文献１に記載の発明がなされている。特許文献１には、混合された受信信号をそのままチューナに入力し、チューナ内部で地上放送受信信号と衛星放送受信信号とを分離することが開示されている。このチューナでは、１軸化された入力信号は、一旦、衛星放送チューナ部へ入力され、ここでハイパスフィルタによって帯域制限され、さらに増幅回路によって増幅された後、分配器で２波に分配される。分配器からの地上放送波の信号は、ローパスフィルタを経て地上放送チューナ部に入力される。
【特許文献１】特開平５−１７６３３２号公報（１９９３年７月１３日公開）
【発明の開示】
【発明が解決しようとする課題】
【０００９】
ところが、上記のチューナでは、混合されたままの受信信号が、衛星放送チューナ部に入力されて増幅された後に、衛星放送チューナ部内で分波される為、衛星放送受信における、地上放送波による妨害（増幅回路で発生する非線形歪みによる高調波等）が回避出来ない。
【００１０】
本発明は、上記の問題点に鑑みてなされたものであり、その目的は、入力された混合信号を内部で分波する地上放送／衛星放送受信複合チューナにおいて、地上放送波及び衛星放送による相互干渉を回避することにある。
【課題を解決するための手段】
【００１１】
本発明に係るチューナは、上記課題を解決するために、異なる２種類以上の放送を受信するチューナであって、各放送信号の混合信号を入力する単一の入力端子と、当該入力端子から入力された前記混合信号を各放送に対応したチューナ部へ向けて個別に分配する分配器と、前記チューナに対応して個別に設けられ、前記チューナ部へ向けて個別に分配された前記混合信号から前記各チューナ部に入力する放送信号を分離して取り出す広帯域分波器とを備えていることを特徴としている。
【００１２】
上記の構成において、入力端子に入力された混合信号は、分配器で各チューナ部に向けて個別に分配されて、広帯域分波器によって、各チューナ部に入力する放送信号に分離される。
【００１３】
これにより、屋内に引き込まれた混合信号をチューナへの入力の前に再度分波する為の分波器が不要であり、且つ分波器で分波した信号をチューナへ入力する為の同軸ケーブルも不要となるので、配線の繁雑さが解消する。加えて、入力端子の直後にて分配・分波する事により、各チューナ部には、それぞれ分波された受信信号が入力される。従って、互いの放送波による干渉を回避することが出来る。
【００１４】
本発明に係る他のチューナは、上記課題を解決するために、異なる２種類以上の放送を受信するチューナであって、各放送信号の混合信号を入力する単一の入力端子と、各放送信号の混合信号を出力する単一の出力端子と、当該入力端子から入力された前記混合信号を各放送に対応したチューナ部と前記出力端子とへ向けて個別に分配する分配器と、前記チューナに対応して個別に設けられ、前記チューナ部へ向けて共通に分配された前記混合信号から各チューナ部に入力する放送信号を分離して取り出す広帯域分波器とを備えていることを特徴としている。
【００１５】
この構成においても、入力端子に入力された混合信号は、分配器で各チューナ部に向けて共通に分配されて、広帯域分波器によって、各チューナ部に入力する放送信号に分離される。また、分配器からの他の混合信号は出力端子から外部に出力される。
【００１６】
これにより、前述のチューナと同様、配線の繁雑さの解消と互いの放送波による干渉の回避を図ることが出来る。また、分配器からの混合信号を再びチューナ外部へ出力することにより、屋内に引き込まれた混合信号を他の機器のチューナへ混合信号のまま導出する事が出来る。
【００１７】
このチューナにおいては、前記混合信号を前記分配器から前記出力端子へと導く経路に設けられた広帯域増幅器をさらに備えていることが好ましい。これにより、出力端子から出力される混合信号について、分配器で生じる分配損失を補償し、他の機器のチューナへ損失のない状態で導出する事が出来る。
【００１８】
本発明のさらに他のチューナは、上記課題を解決するために、異なる２種類以上の放送を受信するチューナであって、各放送信号の混合信号を入力する単一の入力端子と、各放送に対応したチューナ部に対応して個別に設けられ、前記入力端子から入力された前記混合信号から各チューナ部に入力する放送信号を分離して取り出す広帯域分波器とを備えていることを特徴としている。
【００１９】
上記の構成では、前述のチューナと異なり、入力端子から入力された混合信号が分配器を介さずに直接直接広帯域分波器に入力されるので、入力された混合信号を損失の無いままそれぞれのチューナ部へ入力する事が出来る。
【００２０】
上記のチューナにおいては、前記広帯域分波器から出力される前記放送信号を出力する出力端子と、少なくとも１つの前記広帯域分波器から出力される前記放送信号を前記チューナ部と前記出力端子とに向けて分配する分配器とをさらに備えていることが好ましい。これにより、他の放送受信機に分波された放送受信信号を供給することができる。従って、当該他の放送受信機に混合信号から放送受信信号を分波して供給する分波器を別途設ける必要がない。
【００２１】
このチューナにおいては、前記放送信号を前記分配器から前記出力端子へと導く経路に設けられた広帯域増幅器をさらに備えていることが好ましい。これにより、それぞれの分配器から出力された放送受信信号の損失を補償して外部へ導出することが出来る。
【００２２】
前述のいずれのチューナにおいても、前記放送として地上放送及び衛星放送を受信することが好ましい。これにより、一般に普及している地上放送及び衛星放送を受信するチューナを備えた機器において、上記の効果を発揮することができる。
【００２３】
本発明の放送受信機は、前述のいずれかのチューナを備えていることを特徴としている。これにより、放送受信機において、配線の繁雑さの解消と互いの放送波による干渉の回避を図ることが出来る。
【発明の効果】
【００２４】
本発明に係るチューナは、以上のように、チューナ内部で混合信号を分波して対応するチューナ部に入力するようにしたので、前述のチューナと同様、配線の繁雑さの解消と互いの放送波による干渉の回避を図ることが出来る。従って、アンテナ配線を簡素に出来、且つ高品位で放送を再生することができる放送受信機を提供することが出来るという効果を奏する。
【発明を実施するための最良の形態】
【００２５】
本発明の各実施の形態について図１乃至図１０に基づいて説明すると、以下の通りである。
【００２６】
なお、説明の便宜上、各実施の形態において、すでに図面を用いて説明した構成要素と同等の機能を有する構成要素については、同一の符号を付記して、その説明を省略する。
【００２７】
以降の各実施の形態におけるチューナは、テレビジョン受像機、ビデオレコーダ、ＤＶＤレコーダ等の機器が備える放送受信機や、単独の機器としての放送受信機に内蔵されている。
【００２８】
〔実施の形態１〕
図１は、本発明の実施の形態１に係るチューナ１を示す回路ブロック図である。
【００２９】
図１に示すように、チューナ１は、入力端子２と、分配器３と、ハイパスフィルタ（図中「ＨＰＦ」）４と、ローパスフィルタ（図中「ＬＰＦ」）５と、ＢＳ／ＣＳチューナ部６と、地上放送チューナ部７とを備えている。
【００３０】
入力端子２に入力される入力信号は、図１２に示す受信システムにおいて得られる地上波・ＢＳ／ＣＳ波混合信号（以降、単に「混合信号」と称する）である。この混合信号は、地上放送信号受信アンテナからの受信波と、パラボラアンテナ及びＬＮＢからの受信波とが混合器で混合された信号であり、１つの同軸ケーブルを介して家屋内に伝達される。
【００３１】
分配器３は、入力された混合信号を２系統に分配する回路である。
【００３２】
ハイパスフィルタ４は、分配器３から出力された一方の信号の高周波域成分を通過させることにより、ＢＳ・ＣＳ受信信号を分波する（取り出す）。ローパスフィルタ５は、分配器３から出力された他方の信号の低周波域成分を通過させることにより、地上放送信号を取り出す。ハイパスフィルタ４及びローパスフィルタ５は、広帯域の混合信号を分波する広帯域分波器を構成している。
【００３３】
ＢＳ／ＣＳチューナ部６は、ハイパスフィルタ４からのＢＳ・ＣＳ受信信号を受けて、ＢＳ・ＣＳ受信信号の選局チャンネルに応じたＩＦ（中間周波）信号への変換、復調処理等を行う。一方、地上放送チューナ部７は、ローパスフィルタ５からの地上放送受信信号を受けて、地上放送受信信号の選局チャンネルに応じたＩＦ（中間周波）信号への変換、復調処理等を行う。
【００３４】
上記のように構成されるチューナ１においては、入力端子２に入力された混合信号が入力される。入力端子２からの混合信号は、分配器３で２系統に分配される。分配器３からの一方の混合信号は、ハイパスフィルタ４で高周波域成分のみが通過し、ＢＳ・ＣＳチューナ部６に入力される。また、分配器３からの他方の混合信号は、ローパスフィルタ５で低周波域成分のみが通過し、地上放送チューナ部７に入力される。
【００３５】
このように、本実施の形態では、チューナ１が、混合信号を分配する分配器３と、分配器３によって分配された混合信号を分波する広帯域分波器（ハイパスフィルタ４及びローパスフィルタ５）とを備えている。これにより、屋内に引き込まれた混合信号をチューナへ１の入力の前に再度分波する為の分波器が不要であり、且つ分波器で分波した信号をチューナ１へ入力する為の同軸ケーブルも不要となるので、配線の繁雑さが解消する。加えて、入力端子２の直後にて分配・分波する事により、ＢＳ／ＣＳチューナ部６及び地上放送チューナ部７には、それぞれ分波された受信信号が入力される。従って、互いの放送波による干渉を回避することが出来る。
【００３６】
また、チューナ１において、ハイパスフィルタ４及びローパスフィルタ５のそれぞれの前段に分配器３が設けられているのに対し、特許文献１のチューナにおいては、ローパスフィルタがハイパスフィルタの後段に分配器が設けられ、当該分配器の後段にローパスフィルタが設けられている。これにより、チューナ１においては、ハイパスフィルタ４及びローパスフィルタ５に入力されるそれぞれの混合信号のアイソレーションが取れるので、各フィルタ４，５の急峻度が小さくなる。これに対し、特許文献１のチューナにおいては、ローパスフィルタ通過後の混合信号が分配器を経てハイパスフィルタに入力されるので、混合信号のアイソレーションが十分取れず、フィルタの急峻度を大きくする必要がある。
【００３７】
〔実施の形態２〕
実施の形態２について説明する。
【００３８】
図２は、本発明の実施の形態２に係るチューナ１１を示す回路ブロック図である。
【００３９】
図２に示すように、チューナ１１は、前述のチューナ１と同様、入力端子２と、分配器３と、ハイパスフィルタ４と、ローパスフィルタ５と、ＢＳ／ＣＳチューナ部６と、地上放送チューナ部７とを備えているが、さらに出力端子１２を備えている。
【００４０】
チューナ１１においては、分配器２で分配された一方の混合信号をハイパスフィルタ４及びローパスフィルタ５にともに入力し、分配器２で分配された他方の混合信号を出力端子１２から外部に出力している。このように、分配器２から出力された混合信号は、再びチューナ１１の外部へ導出される。
【００４１】
これにより、屋内に引き込まれた混合信号を他の機器のチューナへ混合信号のまま導出（ループスルー）する事が出来る。
【００４２】
〔実施の形態３〕
実施の形態３について説明する。
【００４３】
図３は、本発明の実施の形態３に係るチューナ２１を示す回路ブロック図である。
【００４４】
図３に示すように、チューナ２１は、前述のチューナ１１と同様、入力端子２と、分配器３と、ハイパスフィルタ４と、ローパスフィルタ５と、ＢＳ／ＣＳチューナ部６と、地上放送チューナ部７と、出力端子１３とを備えているが、さらに広帯域増幅器２２を備えている。
【００４５】
広帯域増幅器２２は、分配器２から出力された混合信号を出力端子１２へ導く経路に設けられている。これにより、分配器２から出力端子１２へ出力される混合信号は、広帯域増幅器２２で増幅されるので、分配器２で生じる分配損失が補償される。従って、混合信号を他の機器のチューナへ損失のない状態で導出（ループスルー）する事が容易に出来る。
【００４６】
〔実施の形態４〕
実施の形態４について説明する。
【００４７】
図４は、本発明の実施の形態４に係るチューナ３１を示す回路ブロック図である。
【００４８】
図４に示すように、チューナ３１は、前述のチューナ１と同様、入力端子２と、ハイパスフィルタ４と、ローパスフィルタ５と、ＢＳ／ＣＳチューナ部６と、地上放送チューナ部７とを備えているが、分配器３を備えていない点がチューナ１と異なる。この為、入力端子２がハイパスフィルタ４及びローパスフィルタ５に直接接続されている。
【００４９】
これにより、入力端子２から入力された混合信号は、分配器３を介さずにハイパスフィルタ４及びローパスフィルタ５に入力される。従って、チューナ３１へ入力された混合信号を損失の無いままそれぞれのチューナ部６，７へ入力する事が出来る。また、チューナ３１の構成をチューナ１に比べて簡素化することが出来る。
【００５０】
なお、チューナ３１は、分配器３を備えていないため、入力端子２から入力された混合信号を直接ハイパスフィルタ４及びローパスフィルタ５に分配することになる。このため、両フィルタ４，５は、分配器３が備えるインピーダンス整合の機能を備える必要があるため、チューナ１における両フィルタ４，５に比べて、構成が複雑になる。また、チューナ３１は、分配器３を備えていないため、チューナ１１，２１のように混合信号をループスルーすることができない。
【００５１】
このように、チューナ３１とチューナ１，１１，２１とは、それぞれ異なる特徴を有する為、使用目的等に応じて選択することが好ましい。
【００５２】
〔実施の形態５〕
実施の形態５について説明する。
【００５３】
図５は、本発明の実施の形態５に係るチューナ４１を示す回路ブロック図である。
【００５４】
図５に示すように、チューナ４１は、前述のチューナ３１と同様、入力端子２と、ハイパスフィルタ４と、ローパスフィルタ５と、ＢＳ／ＣＳチューナ部６と、地上放送チューナ部７とを備えているが、さらに分配器４２と、出力端子４３とを備えている。分配器４２は、ハイパスフィルタ４の出力信号を２系統に分配する回路である。
【００５５】
チューナ４１においては、チューナ３１と異なり、分配器４２で分配された一方の混合信号をＢＳ／ＣＳチューナ部６に入力し、分配器４２で分配された他方の混合信号を出力端子４３から外部に出力している。このように、ハイパスフィルタ４の出力信号は、チューナ４１の外部へ導出される。
【００５６】
これにより、他のＢＳ／ＣＳチューナ内蔵機器にＢＳ／ＣＳ放送受信信号を供給することができる。従って、当該他のＢＳ／ＣＳチューナ内蔵機器に混合信号からＢＳ／ＣＳ放送受信信号を分波して供給する分波器を別途設ける必要がない。
【００５７】
〔実施の形態６〕
実施の形態６について説明する。
【００５８】
図６は、本発明の実施の形態６に係るチューナ５１を示す回路ブロック図である。
【００５９】
図６に示すように、チューナ５１は、前述のチューナ４１と同様、入力端子２と、ハイパスフィルタ４と、ローパスフィルタ５と、ＢＳ／ＣＳチューナ部６と、地上放送チューナ部７と、分配器４２と、出力端子４３とを備えているが、さらに広帯域増幅器５２を備えている。
【００６０】
広帯域増幅器５２は、分配器４２から出力された混合信号を出力端子４３へ導く経路に設けられている。これにより、分配器４２から出力端子４３へ出力されるハイパスフィルタ４の出力信号は、広帯域増幅器５２で増幅されるので、分配器４２で生じる分配損失が補償される。従って、ＢＳ／ＣＳ放送受信信号を他のＢＳ／ＣＳチューナ内蔵機器へ損失のない状態で導出する事が出来る。
【００６１】
〔実施の形態７〕
実施の形態７について説明する。
【００６２】
図７は、本発明の実施の形態７に係るチューナ６１を示す回路ブロック図である。
【００６３】
図７に示すように、チューナ６１は、前述のチューナ３１と同様、入力端子２と、ハイパスフィルタ４と、ローパスフィルタ５と、ＢＳ／ＣＳチューナ部６と、地上放送チューナ部７とを備えているが、さらに分配器６２と、出力端子６３とを備えている。分配器６２は、ローパスフィルタ５の出力信号を２系統に分配する回路である。
【００６４】
チューナ６１においては、チューナ３１と異なり、分配器６２で分配された一方の混合信号を地上放送チューナ部７に入力し、分配器６２で分配された他方の混合信号を出力端子６３から外部に出力している。このように、ローパスフィルタ５の出力信号は、チューナ６１の外部へ導出される。
【００６５】
これにより、他の地上放送チューナ内蔵機器に地上放送受信信号を供給することができる。従って、当該他の地上放送チューナ内蔵機器に混合信号から地上放送受信信号を分波して供給する分波器を別途設ける必要がない。
【００６６】
〔実施の形態８〕
実施の形態８について説明する。
【００６７】
図８は、本発明の実施の形態８に係るチューナ７１を示す回路ブロック図である。
【００６８】
図８に示すように、チューナ７１は、前述のチューナ６１と同様、入力端子２と、ハイパスフィルタ４と、ローパスフィルタ５と、ＢＳ／ＣＳチューナ部６と、地上放送チューナ部７と、分配器６２と、出力端子６３とを備えているが、さらに広帯域増幅器７２を備えている。
【００６９】
広帯域増幅器７２は、分配器６２から出力された混合信号を出力端子６３へ導く経路に設けられている。これにより、分配器６２から出力端子６３へ出力されるローパスフィルタ５の出力信号は、広帯域増幅器７２で増幅されるので、分配器６２で生じる分配損失が補償される。従って、地上放送受信信号を他の地上放送チューナ内蔵機器へ損失のない状態で導出する事が出来る。
〔実施の形態９〕
実施の形態９について説明する。
【００７０】
図９は、本発明の実施の形態９に係るチューナ８１を示す回路ブロック図である。
【００７１】
図９に示すように、チューナ８１は、前述のチューナ４１，６１と同様、入力端子２と、ハイパスフィルタ４と、ローパスフィルタ５と、ＢＳ／ＣＳチューナ部６と、地上放送チューナ部７と、分配器４２，６２と、出力端子４３，６３とを備えている。
【００７２】
これにより、他のＢＳ／ＣＳチューナ内蔵機器に混合信号からＢＳ／ＣＳ放送受信信号を分波して供給する分波器を別途設ける必要がない。また、他の地上放送チューナ内蔵機器に混合信号から地上放送受信信号を分波して供給する分波器を別途設ける必要がない。
【００７３】
〔実施の形態１０〕
実施の形態１０について説明する。
【００７４】
図１０は、本発明の実施の形態１０に係るチューナ９１を示す回路ブロック図である。
【００７５】
図１０に示すように、チューナ９１は、前述のチューナ５１，７１と同様、入力端子２と、ハイパスフィルタ４と、ローパスフィルタ５と、ＢＳ／ＣＳチューナ部６と、地上放送チューナ部７と、分配器４２，６２と、出力端子４３，６３と、広帯域増幅器５２，７２とを備えている。
【００７６】
これにより、ＢＳ／ＣＳ放送受信信号を他のＢＳ／ＣＳチューナ内蔵機器へ損失のない状態で導出する事が出来る。また、地上放送受信信号を他の地上放送チューナ内蔵機器へ損失のない状態で導出する事が出来る。
【００７７】
本発明は上述した各実施形態に限定されるものではなく、請求項に示した範囲で種々の変更が可能であり、異なる実施形態にそれぞれ開示された技術的手段を適宣組み合わせて得られる実施形態についても本発明の技術的範囲に含まれる。
【００７８】
尚、前記の各実施の形態においては、地上放送及びＢＳ／ＣＳ放送（衛星放送）を受信するチューナ１，１１，２１，３１，４１，５１，６１，７１，８１，９１について説明した。しかしながら、本発明は、受信する放送の種類を地上放送及びＢＳ／ＣＳ放送に限定しない。例えば、ＣＡＴＶと地上放送との組み合わせや、ＣＡＴＶと衛星放送との組み合わせや、ＣＡＴＶと地上放送と衛星放送との組み合わせであってもよい。
【産業上の利用可能性】
【００７９】
本発明は、地上放送及び衛星放送を同時に受信することができる機能を有する機器におけチューナに適用され、当該チューナを備えた機器、例えばテレビ受信機やＤＶＤレコーダーに好適に利用することができる。
【図面の簡単な説明】
【００８０】
【図１】本発明の実施の形態１に係るチューナの構成例を示すブロック図である。
【図２】本発明の実施の形態２に係るチューナの構成例を示すブロック図である。
【図３】本発明の実施の形態３に係るチューナの構成例を示すブロック図である。
【図４】本発明の実施の形態４に係るチューナの構成例を示すブロック図である。
【図５】本発明の実施の形態５に係るチューナの構成例を示すブロック図である。
【図６】本発明の実施の形態６に係るチューナの構成例を示すブロック図である。
【図７】本発明の実施の形態７に係るチューナの構成例を示すブロック図である。
【図８】本発明の実施の形態８に係るチューナの構成例を示すブロック図である。
【図９】本発明の実施の形態９に係るチューナの構成例を示すブロック図である。
【図１０】本発明の実施の形態１０に係るチューナの構成例を示すブロック図である。
【図１１】従来の放送信号毎に屋内に引き込まれる受信システムを示すブロック図である。
【図１２】従来の混合信号で屋内に引き込まれる受信システムを示すブロック図である。
【符号の説明】
【００８１】
１，１１，２１，３１，４１，５１，６１，７１，８１，９１  チューナ
２  入力端子
３，４２，６２  分配器
４  ハイパスフィルタ（広帯域分波器）
５  ローパスフィルタ（広帯域分波器）
６  ＢＳ／ＣＳチューナ部
７  地上放送チューナ部
１２，４３，６３  出力端子
２２，５２，７２  広帯域増幅器
【図１】
2009118056.tif 000003
【図２】
2009118056.tif 000004
【図３】
2009118056.tif 000005
【図４】
2009118056.tif 000006
【図５】
2009118056.tif 000007
【図６】
2009118056.tif 000008
【図７】
2009118056.tif 000009
【図８】
2009118056.tif 000010
【図９】
2009118056.tif 000011
【図１０】
2009118056.tif 000012
【図１１】
2009118056.tif 000013
【図１２】
2009118056.tif 000014